(57)【要約】【課題】  複数の操作リモコンがある場合ユーザが予期しないリモコンからの操作が実行されることを防止する。【解決手段】  音楽、映像を記録再生する記録再生部と、本体キーを取り込む本体キー入力部１９と、リモコンからキーコードを受信するリモコン受信部１８と、本体キー入力部１９とリモコン受信部１８からのキーコードを入力し、受付可能なキーコードであるか判断する入力判断部１７と、入力判断部１７の指令を受け、記録再生部に指令を与えるシステム制御部１６とを備え、入力判断部１７は、特定の操作入力手段以外の操作の一部または全部を禁止するキーロック設定手段２１を有し、入力されたキーコードがキーロックコードと判定されるとキーロック状態を設定する。【選択図】  図１
2006172579.tif 000002
【特許請求の範囲】
【請求項１】
音楽、映像を記録再生する記録再生部と、本体キーを取り込む本体キー入力部と、リモコンからキーコードを受信するリモコン受信部と、前記本体キー入力部と前記リモコン受信部からのキーコードを入力し、受付可能なキーコードであるか判断する入力判断部と、前記入力判断部の指令を受け、前記記録再生部に指令を与えるシステム制御部とを備え、前記入力判断部は、特定の操作入力手段以外の操作の一部または全部を禁止するキーロック設定手段を有し、入力されたキーコードがキーロックコードと判定されるとキーロック状態を設定することを特徴とする記録再生装置。
【請求項２】
前記操作入力手段として本体キーとリモコン入力部を有し、前記キーロック設定手段は、前記操作入力手段が本体キー入力部からの再生、記録操作キーであると判断すれば、一部または全部のリモコン入力の受付を禁止する処理を有する請求項１記載の記録再生装置。
【請求項３】
前記リモコン入力の受付禁止時間を、本体キー入力部からの操作による記録再生部の動作が開始してから完了するまでとする請求項２記載の記録再生装置。
【請求項４】
前記キーロック設定手段は、前記操作入力手段が本体キー入力部からの再生、記録操作キーであると判断すれば、リモコン受付禁止時間タイマを設定し、設定した時間内は一部または全部のリモコン入力の受付を禁止する処理を有する請求項１，２または３記載の記録再生装置。
【請求項５】
前記入力判断部は、特定の操作入力手段以外の操作の一部または全部を禁止中に、音楽、映像の変化点で禁止設定を解除する請求項１または４記載の記録再生装置。
【請求項６】
前記キーロック設定手段は、キーロック設定時に前記操作入力手段から送信される暗証番号を登録し、操作入力手段の操作とともに入力される暗証番号が登録された前記暗証番号と一致することによるキーロック解除まで、前記操作入力手段の操作の一部または全部を禁止する請求項１，２，３，４または５記載の記録再生装置。
【請求項７】
前記入力判断部は、キーロック設定時に、前記操作入力手段から操作入力と共に登録された前記暗証番号が入力されたときは、入力された操作入力を受け付ける請求項６記載の記録再生装置。
【請求項８】
前記暗証番号が操作入力手段によりユーザが入力した番号である請求項６または７記載の記録再生装置。
【請求項９】
前記暗証番号が乱数により生成された番号である請求項６または７記載の記録再生装置。
【請求項１０】
前記暗証番号が時刻により生成された番号である請求項６または７記載の記録再生装置。
【請求項１１】
前記暗証番号が特定の操作入力手段であることを識別する番号である請求項６または７記載の記録再生装置。
【発明の詳細な説明】
【技術分野】
【０００１】
この発明は、複数のキー入力手段を持つ記録再生装置のキーロック、キーロック解除に関するものである
【背景技術】
【０００２】
従来のキーロックとキーロック解除機能を有する記録再生装置としては、例えば特許文献１には所定の一連の動作の間キーロックを行い一連の動作完了後キーロックを解除する装置がある（特許文献１参照）。
【特許文献１】特開２００２−５０１６号公報
【発明の開示】
【発明が解決しようとする課題】
【０００３】
しかしながら、従来のキーロックとキーロック解除機能を有する記録再生装置は所定の動作に関連付けてキーロックを自動的に解除を行っているため、一連の動作完了時までキー操作が禁止されるが、例えばある一曲を聞きたい場合などに対応できない。
【０００４】
すなわち、録音可能な記録再生装置において、ある曲（１曲でも複数曲でもよい）を記録中には、全て記録が完了するまでは、キーロックされ、またキーロックが解除できず、その記録が行われている間は、曲の再生ができないということである。さらにキーロック状態時にはすべてのキー操作が禁止されることにより使い勝手が悪い。
【０００５】
また、近年では、携帯電話等で各記録再生装置に適合したリモコンコードを発信することが可能、また、リモコンアプリケーションを携帯電話にダウンロードして前記記録再生装置の操作が可能となる機能が搭載され、また赤外線入力手段を用いてリモコンコードをコピー出来る学習リモコン等がある。これらの複数の入力手段により、複数のユーザにより複数のリモコンで記録再生装置を操作できる状況が実現している。ここで、他のリモコンからの操作により、ユーザが予期しない操作が実行される可能性がある。また、複数のユーザで操作の取り合いした場合、一連の操作完了までキー操作が禁止されると長時間占有することになり他のユーザの操作できるまでの時間が長くなることがありえる。
【０００６】
したがって、この発明の目的は、上記課題に鑑みてなされたもので、複数の操作リモコンがある場合ユーザが予期しないリモコンからの操作が実行されることを防止することであり、具体的には、キーロック状態であっても一部の操作キーを受付操作可能とする、またユーザが視聴したい曲、映像に限定してキーロックする、曲、映像の切り替わりで自動的に解除する、さらに特定のリモコンのみのキーコードを受け付ける、また、複数の入力手段がある場合に長時間キーロックされないように時間でキーロック解除する記録再生装置を提供することである。
【課題を解決するための手段】
【０００７】
上記目的を達成するためにこの発明の請求項１記載の記録再生装置は、音楽、映像を記録再生する記録再生部と、本体キーを取り込む本体キー入力部と、リモコンからキーコードを受信するリモコン受信部と、前記本体キー入力部と前記リモコン受信部からのキーコードを入力し、受付可能なキーコードであるか判断する入力判断部と、前記入力判断部の指令を受け、前記記録再生部に指令を与えるシステム制御部とを備え、前記入力判断部は、特定の操作入力手段以外の操作の一部または全部を禁止するキーロック設定手段を有し、入力されたキーコードがキーロックコードと判定されるとキーロック状態を設定する。
【０００８】
請求項２記載の記録再生装置は、請求項１記載の記録再生装置において、前記操作入力手段として本体キーとリモコン入力部を有し、前記キーロック設定手段は、前記操作入力手段が本体キー入力部からの再生、記録操作キーであると判断すれば、一部または全部のリモコン入力の受付を禁止する処理を有する。例えば、本体キー入力部により入力されたキーコードが記録再生動作指令キーコードであれば、リモコン受信部からのキー入力の受付をすべて禁止する又は記録再生動作に影響しないリモコン受信部からのキー入力操作は可能とする。
【０００９】
請求項３記載の記録再生装置は、請求項２記載の記録再生装置において、前記リモコン入力（リモコン受信部からのキー入力）の受付禁止時間を、本体キー入力部からの操作による記録再生部の動作が開始してから完了するまでとする。
【００１０】
請求項４記載の記録再生装置は、請求項１，２または３記載の記録再生装置において、前記キーロック設定手段は、前記操作入力手段が本体キー入力部からの再生、記録操作キーであると判断すれば、リモコン受付禁止時間タイマを設定し、設定した時間内は一部または全部のリモコン入力の受付を禁止する処理を有する。例えば、キーロック設定状態に設定された条件が、本体キー入力部からのキー入力操作での記録再生の操作キーでありかつ記録再生動作が可能であればリモコン受信部からのキー入力受付禁止時間タイマを設定し、設定した時間が経過するまでリモコン受信部からのキー入力による操作を禁止する。
【００１１】
請求項５記載の記録再生装置は、請求項１または４記載の記録再生装置において、前記入力判断部は、特定の操作入力手段以外の操作の一部または全部を禁止中に、音楽、映像の変化点で禁止設定を解除する。例えば、キーロック設定状態において、記録再生機器の再生曲の切り替わり、映像のチャプターの切り替わりをシステム制御部を通して再生記録機器より取得しリモコン受信部からのキー入力禁止状態を解除する。
【００１２】
請求項６記載の記録再生装置は、請求項１，２，３，４または５記載の記録再生装置において、前記キーロック設定手段は、キーロック設定時に前記操作入力手段から送信される暗証番号を登録し、操作入力手段の操作とともに入力される暗証番号が登録された前記暗証番号と一致することによるキーロック解除まで、前記操作入力手段の操作の一部または全部を禁止する。例えば、リモコン受信部からのキーロック設定時において、リモコン受信部に外部リモコンより送信されるリモコンキーロックコードに付加された暗証番号を記憶し、操作入力手段よりキーロック解除コードに付加された暗証番号を前記記憶した暗証番号と比較し一致するとリモコン受信部からのキー入力を受け付け禁止状態を解除し、前記暗証番号と比較し不一致の場合はリモコン受信部からのキー入力を禁止する。
【００１３】
請求項７記載の記録再生装置は、請求項６記載の記録再生装置において、前記入力判断部は、キーロック設定時に、前記操作入力手段から操作入力（操作キーコード）と共に登録された前記暗証番号が入力されたときは、入力された操作入力を受け付ける。例えば、キーロック設定時にリモコンからの操作により登録された暗証番号を記憶し、次に前記リモコンからの操作より送信される暗証番号が記憶した暗証番号と一致した時はリモコンキーによる操作を受け付ける。
【００１４】
請求項８記載の記録再生装置は、請求項６または７記載の記録再生装置において、前記暗証番号が操作入力手段によりユーザが入力した番号である。
【００１５】
請求項９記載の記録再生装置は、請求項６または７記載の記録再生装置において、前記暗証番号が乱数により生成された番号である。
【００１６】
請求項１０記載の記録再生装置は、請求項６または７記載の記録再生装置において、前記暗証番号が時刻により生成された番号である。
【００１７】
請求項１１記載の記録再生装置は、請求項６または７記載の記録再生装置において、前記暗証番号が特定の操作入力手段であることを識別する番号である。
【発明の効果】
【００１８】
この発明の請求項１記載の記録再生装置によれば、入力判断部は、特定の操作入力手段以外の操作の一部または全部を禁止するキーロック設定手段を有し、入力されたキーコードがキーロックコードと判定されるとキーロック状態を設定するので、キーロック設定状態中に、新たに再生動作、記録動作に影響を及ばない操作キーが入力された場合は入力されたキーコードを有効とし所望の動作を行い、入力されたキーコードが再生動作、記録動作に影響を与える操作キーコードの時は入力されたキーコードを無効とすることができる。このように、入力判断部で、キー操作のすべてを禁止するのではなく、音楽、映像の記録再生動作に影響を与えない操作キー入力は許可することにより、キーロック中にでも音量音質、表示切替等の操作が可能とする事で使い勝手が向上する。
【００１９】
請求項２では、操作入力手段として本体キーとリモコン入力部を有し、キーロック設定手段は、操作入力手段が本体キー入力部からの再生、記録操作キーであると判断すれば、一部または全部のリモコン入力の受付を禁止する処理を有するので、リモコンによる予期しない操作を防止する。
【００２０】
請求項３では、リモコン入力の受付禁止時間を、本体キー操作による記録再生部の動作が開始してから完了するまでとするので、記録再生中はリモコンによる予期しない操作を防止し、再生、記録動作が完了すればリモコンによる操作キーを自動的に許可することでキーロック解除を意識することがなく操作性が向上する。
【００２１】
請求項４では、キーロック設定手段は、操作入力手段が本体キー入力部からの再生、記録操作キーであると判断すれば、リモコン受付禁止時間タイマを設定し、設定した時間内は一部または全部のリモコン入力の受付を禁止する処理を有するので、リモコンによる予期しない操作を防止する。
【００２２】
請求項５では、入力判断部は、特定の操作入力手段以外の操作の一部または全部を禁止中に、音楽、映像の変化点で禁止設定を解除するので、ユーザがその曲だけは視聴したい場合などに、曲や章の切り替わりまで、リモコン入力の受付を禁止し、曲や章等の切り替わりでリモコン入力からの操作を許可することができる。
【００２３】
請求項６では、キーロック設定手段は、キーロック設定時に操作入力手段から送信される暗証番号を登録し、操作入力手段の操作とともに入力される暗証番号が登録された暗証番号と一致することによるキーロック解除まで、操作入力手段の操作の一部または全部を禁止するので、操作入力手段からのキーロック設定時にキーコードと一緒に送信されてくる暗証番号を記憶し、前記操作入力手段から送信されるキーロック解除と一緒に送られてくる暗証番号を比較し同じでないとキーロックを解除しないことによりキーロック中にキーロックを解除できる操作入力手段を限定することにより他の操作入力手段からの操作を受け付けなくすることができる。
【００２４】
請求項７では、入力判断部は、キーロック設定時に、操作入力手段から操作入力と共に登録された暗証番号が入力されたときは、入力された操作入力を受け付けるので、操作性が向上する。
【００２５】
請求項８では、暗証番号が操作入力手段によりユーザが入力設定した番号にすることで、操作できる操作入力手段の暗証番号を任意に設定することができる。
【００２６】
請求項９では、暗証番号が乱数により自動的に生成された番号にすることで、ユーザが個別に設定する操作をしなくてもよいため操作性が向上する。
【００２７】
請求項１０では、暗証番号が時刻により自動的に生成された番号にすることで、ユーザが個別に設定する操作をしなくてもよいため操作性が向上する。
【００２８】
請求項１１では、暗証番号が特定の操作入力手段であることを識別する番号にすることで、例えば、リモコンを特定する固有のコードを持ち、リモコンより操作キー入力されると同時に付加される前記固有コードを記憶し、リモコンから操作キー入力がある毎に記憶した固有コードの一致を確認してキー操作受付可能なリモコンと識別することができる。このように、暗証番号が特定の操作入力手段であることを識別する固有のコード等の番号とする事によりユーザが個別に設定する操作をしなくてもよいため操作性が向上する。さらに操作入力手段を特定することが出来るので操作可能な操作入力手段を選別が可能となる。
【発明を実施するための最良の形態】
【００２９】
以下、本発明の実施の形態を、図面を参照しながら説明する。実施形態として２例説明を行うが、ブロック構成図は同一であるため、まずブロック構成図の説明を行う。
【００３０】
図１は、本発明の実施形態である記録再生装置の構成を示すブロック図である。図１において、２０はシステム全体を制御する制御マイコンであり、システム制御部１６と入力判断部１７を備える。
【００３１】
入力判断部１７は複数のリモコンからのデータを受信するリモコン受信部１８と本体キー入力部１９からのキーコードを入力し、受付可能なキーコードであるか判断し、音楽、映像を記録再生する記録再生部に再生動作、記録動作、音量、音質、表示切替等の指令を与える。記録再生部は、ＣＤ制御部１３とＭＤ制御部１４を有する。キーコードはＰＬＡＹキー、ＲＥＣキー、音量キー、音質キー、表示切替キー等により構成され、キーロック設定キー、キーロック設定解除キーを含む。また、入力判断部１７は、入力したキーコード無視することにより操作入力を禁止状態にするキーロック設定手段２１と、操作入力禁止状態を解除するキーロック解除手段２２とを備え、キーロック設定状態では再生や記録等の動作系のキーコードは受け付けず、その他表示切替等（表示系）のキーコードは受け付ける機能を持つ。
【００３２】
システム制御部１６は入力判断部１７の指令を受け、ＣＤ制御部１３とＭＤ制御部１４に再生・停止等の指令を与える。また、音質／音量制御部１５に指令を出し、音質・音量の制御を行う。また、表示制御部１２に指令を出し、動作状態や再生時間等の表示制御を行う。
【００３３】
音質／音量制御部１５はシステム制御部１６の指令により、入力される音声信号の音質・音量を調整し、図示しないスピーカに出力する。表示制御部１２はシステム制御部１６の指令により、システム制御部１６より送信される表示データを表示部１１に表示する。ＣＤ制御部１３は、システム制御部１６の指令によりＣＤの再生動作を行う。また、システム制御部１６に対し制御に必要なステータスを送信する。ステータスは例えば、再生トラック番号、再生時間、総トラック数、等の情報である。ＭＤ制御部１４は、システム制御部１６の指令によりＭＤの記録・再生動作を行う。また、システム制御部１６に対し制御に必要なステータスを送信する。ステータスは例えば、再生トラック番号、記録トラック番号、再生時間、記録時間、総トラック数、等の情報である。
【００３４】
本発明の実施の形態１を図１〜図５に基づいて説明する。図２は本発明の実施の形態１における入力判断部１７のキー入力判断処理のフローチャートである。
【００３５】
Ｓ１０で本体キーコードかを判断する。本体キーコードであればステップＳ１１でリモコンロック中かを判断しロック中でなければステップＳ１２でＬＯＣＫ設定を行い、ステップＳ１３でＬＯＣＫ時間タイマの設定を行い、制御部に制御指令を発行する。ステップＳ１１でリモコンロック中であればステップＳ１３のロック時間タイマ設定のみを行い、制御部に制御指令を発行する。よって本体キーの入力を行うとリモコンＬＯＣＫ中で無ければリモコンＬＯＣＫ設定とＬＯＣＫ解除用のＬＯＣＫ設定時間タイマをセットする。Ｓ１０で本体キーコードでない場合、Ｓ１４でリモコンキーコードであるか判断する。リモコンキーコードでなければ、キーコードが無効であると判断し、処理を終了する。リモコンキーコードである場合、まずステップＳ１５で入力されたリモコンコマンドが表示系のコマンドか判断し表示系のコマンドであれば表示制御部に指令を発行する。ステップＳ１５で表示系のコマンドでなければステップＳ１６で現在ロック中か判断する。ステップＳ１６でロックであればキー入力を受け付けずに処理を終了する。ステップＳ１６でロックでなければ、制御部に制御指令を発行する。
【００３６】
次に図３を用いてＬＯＣＫ解除の説明を行う。ステップＳ３０で１曲の再生が終了か判断し終了ならばステップＳ３１でＬＯＣＫ解除を行う。ステップＳ３０で１曲終了していなければステップＳ３３でＬＯＣＫ時間がタイムアウトしたか判断を行い、タイムアウトならステップ３４でＬＯＣＫを解除する。ステップＳ３３でＬＯＣＫ時間がタイムアウトしていなければＬＯＣＫ状態は継続し、ステップＳ３５で現在の再生継続処理になる。
【００３７】
図４は表示部１１の一例である。表示部１１は動作状態ａ、演奏時間ｂ、キーロック表示ｃを備える。本実施形態における動作例を図５の表示例を用いて説明を行う。
【００３８】
初期状態のＳＴＯＰ状態は、キーロック解除状態とする(図５(ａ))。本状態において本体ＰＬＡＹキーが押下されると、キーロック状態に設定し、キーロック時間タイマを１０分に設定し、キーロック表示をオンにし制御部に再生を指定する(図５(ｂ))。図５(ｂ)の状態でリモコンのＳＴＯＰキーを受信すると、動作を受け付けられない旨を示すために警告表示を図５(ｃ)のように表示する。本表示は一時表示のため、所定時間経過後(本例では3秒後)、通常表示に戻る(図５(ｄ))。また図５(ｄ)の状態でリモコンＤＩＳＰＬＡＹキーを受信するとＤＩＳＰＬＡＹキーはキーロック対象外であるため動作を受け付け、残時間表示に切り替える(図５(ｅ))。同様に再度リモコンＤＩＳＰＬＡＹキーを受信すると通常表示に戻る(図５(ｆ))。トラック１の演奏時間が５分の場合、本体ＰＬＡＹキーで設定されたキーロック時間タイマの１０分がタイムアウトする前に再生が完了するため、トラック１の再生完了時キーロック状態を解除した後にトラック２の再生に移行する(図５(ｇ))。またトラック１の演奏時間が１０分以上の場合、トラック１の再生完了前に本体ＰＬＡＹキーで設定されたキーロック時間タイマの１０分がタイムアウトするので、キーロック時間タイマのタイムアウトを検出するとキーロック状態を解除し、トラック１の再生を継続する(図５(ｈ))。また図５(ｂ)の状態で本体Ｆ−ＳＫＩＰキーを受信すると、キーロック状態を維持したままキーロック時間タイマを１０分に再生し、次のトラック２の再生に移行する(図５(i))。
【００３９】
本発明の実施の形態２を図６〜図９に基づいて説明する。図６は本発明の実施の形態２におけるリモコンのデータフォーマットの一例である。コマンドには通常の再生や記録、停止を定義すると共にキーロック設定、キーロック解除も定義する。
【００４０】
図７は本発明の実施の形態２におけるリモコン送信部のフローチャートである。図示しないリモコンの制御部はリモコンのキー押下を検出すると、まず押下されたキーがキーロック設定キーであるか判別する（ステップＳ４０）。キーロック設定キーである場合は乱数を発生させメモリに記憶し（ステップＳ４１）、記憶した前記乱数を暗証番号に設定し（ステップＳ４２）、図６のフォーマットによる送信データを作成し（ステップＳ４３）、データ送信を行う（ステップＳ４４）。キーロック設定キーでない場合（ステップＳ４０のＮ）、現在の状態がキーロック中であるか判断する（ステップＳ４５）。キーロック中である場合（ステップＳ４５のＹ）、ステップＳ４１で記憶した乱数を暗証番号として（ステップＳ４６）、図６のフォーマットによる送信データを作成し（ステップＳ４３）、データ送信を行う（ステップＳ４４）。キーロック中でない場合は（ステップＳ４５のＮ）、暗証番号を０として（ステップＳ４７）、図６のフォーマットによる送信データを作成し（ステップＳ４３）、データ送信を行う（ステップＳ４４）。
【００４１】
図８は本発明の実施の形態２における入力制御部１７のリモコン受信時のフローチャートである。まず、現在の状態がキーロック中でない場合（ステップＳ５０のＮ）、検出したリモコンコマンドがキーロック設定コマンドでなければ（ステップＳ５１のＮ）、通常のリモコン受信処理を行う（ステップＳ５４）。キーロック設定コマンドの場合（ステップＳ５１のＹ）、現在の状態をキーロック中に設定し（ステップＳ５２）、コマンドと同時に送信されている暗証番号を記憶する（ステップＳ５３）。現在の状態がキーロック中の場合（ステップＳ５０のＹ）、受信したコマンドが表示系のコマンドである場合は（ステップＳ５５のＹ）、通常のリモコン受信処理を行う（ステップＳ６１）。受信したコマンドが表示系のコマンドでない場合は（ステップＳ５５のＹ）、送信されてきた暗証番号がステップＳ５３で記憶した暗証番号と一致するか判断する（ステップＳ５６）。一致しない場合は（ステップＳ５６のＮ）、コマンド受信を拒否し、処理を終了する。暗証番号が一致する場合（ステップＳ５６のＹ）、リモコンコマンドがキーロック解除コマンドでない場合は（ステップＳ５７のＮ）、通常のリモコン受信処理を行う（ステップＳ６０）。リモコンコマンドがキーロック解除コマンドである場合は（ステップＳ５７のＹ）、現在のキーロック状態を解除し（ステップＳ５８）、ステップＳ５３にて記憶した暗証番号をクリアする（ステップＳ５９）。
【００４２】
本実施形態における動作例を図９の表示例を用いて説明を行う。
【００４３】
初期状態のＳＴＯＰ状態は、キーロック解除状態とする(図９(ａ))。本状態でリモコンからキーロック設定キーを暗証番号付で受信すると、キーロック状態となり、キーロック表示がオンになる(図９(ｂ))。さらに本状態でＰＬＡＹキーを暗証番号付で受信すると、再生動作を開始する(図９(ｃ))。図９(ｃ)の状態でＳＴＯＰキーを暗証番号なしで受信した場合、動作を受け付けられない旨を示すために警告表示を図９(ｄ)のように表示する。本表示は一時表示のため、所定時間経過後(本例では３秒後)、通常表示に戻る(図９(ｅ))。ロック解除キーを暗証番号付で受信した場合キーロック状態を解除し、キーロック表示をオフにする(図９(ｆ))。キーロック解除の状態では、リモコンからのキー操作は暗証番号なしでも受信する(図９(ｇ))。また、トラック１を再生している図９(ｃ)の状態において、トラック１の再生を完了し、トラック２の再生に移行する場合、キーロック状態を解除した後にトラック２の再生に移行する（図９（ｈ））。
【００４４】
本実施形態の説明では、入力判断部の処理をリモコンキー入力に限定しており、また、キーロック時間タイマ設定を利用できない構成にしているが、実施形態１と同様の構成にすることも可能である。また、暗証番号として乱数を用いているが、リモコンのテンキー等を用いてユーザが暗証番号を入力するように構成することも可能である。また、暗証番号としてＩＰアドレスやシリアル番号等リモコンをユニークに識別可能な番号を用いることも可能であり、本場合においては特定のリモコンのコマンドのみ受信するといった制御が可能となる。
【産業上の利用可能性】
【００４５】
本発明にかかる記録再生装置は、ある特定の操作を禁止しまた特定のリモコンからの操作を禁止する機能を有し 、複数のリモコンがある場合予期しないリモコンからの操作を防止することに有用である。
【図面の簡単な説明】
【００４６】
【図１】本発明の実施の形態の記録再生装置のブロック図である。
【図２】本発明の実施の形態１の入力判断部のキー入力判断処理のフローチャートである。
【図３】本発明の実施の形態１の入力判断部のキーロック解除処理のフローチャートである。
【図４】本発明の実施の形態の表示部の説明図である。
【図５】本発明の実施の形態１の表示説明図である。
【図６】本発明の実施の形態２のリモコンデータフォーマット図である。
【図７】本発明の実施の形態２のリモコン送信部のフローチャートである。
【図８】本発明の実施の形態２のリモコンデータフォーマット図である。
【図９】本発明の実施の形態２の表示説明図である。
【符号の説明】
【００４７】
１０  記録再生装置
１１  表示部
１２  表示制御部
１３  ＣＤ制御部
１４  ＭＤ制御部
１５  音質／音量制御部
１６  システム制御部
１７  入力判断部
１８  リモコン受信部
１９  本体キー入力部
２０  制御マイコン
【図１】
2006172579.tif 000003
【図２】
2006172579.tif 000004
【図３】
2006172579.tif 000005
【図４】
2006172579.tif 000006
【図５】
2006172579.tif 000007
【図６】
2006172579.tif 000008
【図７】
2006172579.tif 000009
【図８】
2006172579.tif 000010
【図９】
2006172579.tif 000011